(57)【特許請求の範囲】
【請求項１】
容器開口部をフィルム状の蓋材で閉じた構成のカップ容器に前記容器開口部を覆うように取り付けて使用し、前記蓋材を開封する機能を備えたキャップであって、前記容器開口部を取り囲む容器口縁に回転可能に装着される装着部と、その装着部にほぼ垂直に連設され、飲み口用口縁を備えた筒状部と、該筒状部の内側に形成された凹部と、該凹部の底面で且つ前記飲み口用口縁に隣接した領域に形成された内容物取り出し用の開口と、該開口に面する領域に、該開口をはさんで前記飲み口用口縁とは反対側に設定した第一の旋回軸線を中心として旋回可能に設けられ、該第一の旋回軸線を中心として下方に旋回させることで前記開口の下に位置する蓋材を下方に押し開くことの可能な蓋押し具と、該蓋押し具と一体構造に形成され、上方への旋回によって前記蓋押し具を下方に旋回させる引き上げ部と、前記開口とは別の位置に、第二の旋回軸線を中心として旋回可能に設けられ、該第二の旋回軸線を中心として下方に旋回させることで前記容器口縁の内周面近傍の蓋材を突き刺すことの可能な突刺し刃を有する突刺し具と、該突刺し具を下方に旋回させて蓋材を突き刺した状態に保持するロック手段を備え、前記突刺し刃が、前記キャップを容器口縁に沿って回転させた時に前記蓋材を切り裂いてゆくことの可能な構成となっており、更に、前記ロック手段が、前記突刺し具の先端に向かい合う領域に設けられたロック用突起であって、前記突刺し具を下方に旋回させた時には該突刺し具に押されて変形して該突刺し具の通過は許容するが、該突刺し具が通過した後は、該突刺し具が元の位置に戻らないように該突刺し具を拘束するロック用突起を備えていることを特徴とする開封機能付キャップ。
【請求項２】
前記蓋押し具を下方に旋回させて蓋材を押し開いた状態に保持するロック手段が設けられていることを特徴とする請求項１記載の開封機能付キャップ。
【請求項３】
容器開口部をフィルム状の蓋材で閉じた構成のカップ容器に前記容器開口部を覆うように取り付けて使用し、前記蓋材を開封する機能を備えたキャップであって、前記容器開口部を取り囲む容器口縁に回転可能に装着される装着部と、その装着部にほぼ垂直に連設され、飲み口用口縁を備えた筒状部と、該筒状部の内側に形成された凹部と、該凹部の底面で且つ前記飲み口用口縁に隣接した領域に形成された内容物取り出し用の開口と、該開口に面する領域に、該開口をはさんで前記飲み口用口縁とは反対側に設定した旋回軸線を中心として旋回可能に設けられ、該旋回軸線を中心として下方に旋回させることで前記開口の下に位置する蓋材を下方に押し開くことの可能な蓋押し具と、該蓋押し具と一体構造に形成され、上方への旋回によって前記蓋押し具を下方に旋回させる引き上げ部と、前記蓋押し具の先端領域の下面で且つ該先端領域の一方の端部近傍若しくは両方の端部近傍に一体構造に形成され、該蓋押し具を下方に旋回させた時に前記蓋材を突き刺す突刺し刃と、前記蓋押し具を下方に旋回させて前記突刺し刃を蓋材に突き刺した状態に保持するロック手段を備え、前記突刺し刃が、該突刺し刃を前記蓋材に突き刺した状態で前記キャップを容器口縁に沿って回転させた時に前記蓋材を切り裂いてゆくことの可能な構成となっており、前記ロック手段が、前記開口に面する筒状部の内面に形成されたロック用突起であって、前記蓋押し具を下方に旋回させた時には該蓋押し具に押されて変形して該蓋押し具の通過は許容するが、該蓋押し具が通過した後は、該蓋押し具が元の位置に戻らないように該蓋押し具を拘束するロック用突起を備えていることを特徴とする開封機能付キャップ。
【請求項４】
液状内容物を充填し、容器開口部をフィルム状の蓋材で閉じた構成のカップ容器と、該カップ容器に前記容器開口部を覆うように取り付けられた請求項１から３のいずれか１項記載の開封機能付キャップを備えていることを特徴とする包装体。
【請求項５】
更に、前記開封機能付キャップの上に被せられた保護用のオーバーキャップを有することを特徴とする請求項４記載の包装体。
【発明の詳細な説明】
【技術分野】
【０００１】
本発明は、容器開口部をフィルム状の蓋材で閉じた構成のカップ容器に取り付け、開封を行うと共に飲み口を提供することの可能なキャップ及びそのキャップを用いた包装体に関する。
【背景技術】
【０００２】
従来、カップ容器内にコーヒー、紅茶、ウーロン茶、スープ、ジュース等を常温充填し、例えばアルミニウム箔／ポリエチレン複合フィルムからなる突刺し可能な蓋材で容器開口部を密封し、その上にオーバーキャップを被せ、容器本体の胴部にはストローが入った袋体を貼着してなる容器入り飲料が使用され、また、コンビニエンスストア等において販売されている。また、この容器入り飲料をコンビニエンスストア等に設置されたホットウォーマー内に陳列して６０℃前後に加温販売することも行われている。
【０００３】
上記のような飲料を購入した消費者は、オーバーキャップにストローの通り穴を形成し、その穴を通して蓋材にストローを突き刺し、ストローを使って飲料を飲む。或いはオーバーキャップを取り除き、蓋材にストローを突き刺し、ストローを使って飲む。しかし、６０℃前後に加温されたコーヒー、紅茶、ウーロン茶、スープ、ジュース等の飲料をストローを使って飲もうとすると、容器内の熱い飲料が途中で空気に触れて冷まされることなくストローを通して口内に吸い込まれ、場合によっては口の中を火傷することがある。
【０００４】
そこで、このような火傷の危険を回避するため、カップ容器の蓋材を覆うように、開封用突刺し具を備えたオーバーキャップを取り付けておき、飲料を飲む際には、突刺し具を容器内に向かって押し込むことで蓋材を突刺し具で突き刺して開封し、オーバーキャップの周壁の上端を飲み口縁部として飲むことの可能な構成のオーバーキャップが提案されている（特許文献１参照）。このオーバーキャップを用いると、単に突刺し具を押し込むことで簡単に蓋材を開封することができ、また、そのオーバーキャップを飲み口として内容物を飲むことで火傷の危険を避けることができる利点が得られる。
【０００５】
しかしながら、特許文献１に記載のオーバーキャップにも改良すべき点のあることが判明した。すなわち、蓋材の開封に当たって突刺し具を押し込んだ際に、突刺し具を押している指が蓋材の位置を越えて容器内に入ることがあり、その際、蓋材の裏面に付着していた内容物が指に付着して指を汚すことがあった。
【特許文献１】特開２００４−３１４９９７号公報
【発明の開示】
【発明が解決しようとする課題】
【０００６】
本発明はかかる問題点に鑑みてなされたもので、指を容器内に入れることなく蓋材を容易に開封することの可能な開封機能付キャップ及びそれを用いた包装体を提供することを課題とする。
【課題を解決するための手段】
【０００７】
上記課題を解決すべくなされた請求項１に係る発明は、容器開口部をフィルム状の蓋材で閉じた構成のカップ容器に前記容器開口部を覆うように取り付けて使用し、前記蓋材を開封する機能を備えたキャップであって、前記容器開口部を取り囲む容器口縁に回転可能に装着される装着部と、その装着部にほぼ垂直に連設され、飲み口用口縁を備えた筒状部と、該筒状部の内側に形成された凹部と、該凹部の底面で且つ前記飲み口用口縁に隣接した領域に形成された内容物取り出し用の開口と、該開口に面する領域に、該開口をはさんで前記飲み口用口縁とは反対側に設定した第一の旋回軸線を中心として旋回可能に設けられ、該第一の旋回軸線を中心として下方に旋回させることで前記開口の下に位置する蓋材を下方に押し開くことの可能な蓋押し具と、該蓋押し具と一体構造に形成され、上方への旋回によって前記蓋押し具を下方に旋回させる引き上げ部と、前記開口とは別の位置に、第二の旋回軸線を中心として旋回可能に設けられ、該第二の旋回軸線を中心として下方に旋回させることで前記容器口縁の内周面近傍の蓋材を突き刺すことの可能な突刺し刃を有する突刺し具と、該突刺し具を下方に旋回させて蓋材を突き刺した状態に保持するロック手段を備え、前記突刺し刃が、前記キャップを容器口縁に沿って回転させた時に前記蓋材を切り裂いてゆくことの可能な構成となっており、更に、前記ロック手段が、前記突刺し具の先端に向かい合う領域に設けられたロック用突起であって、前記突刺し具を下方に旋回させた時には該突刺し具に押されて変形して該突刺し具の通過は許容するが、該突刺し具が通過した後は、該突刺し具が元の位置に戻らないように該突刺し具を拘束するロック用突起を備えていることを特徴とする開封機能付キャップを要旨とする。
【０００８】
請求項２に係る発明は、上記した請求項１に係る開封機能付キャップにおいて、前記蓋押し具を下方に旋回させて蓋材を押し開いた状態に保持するロック手段を設けておくという構成としたものである。
【００１０】
請求項３に係る発明は、上記した請求項１に係る発明において、蓋押し具と突刺し具を別の部位に設けたのに対し、両者を一体化したものである。すなわち、請求項３に係る発明は、容器開口部をフィルム状の蓋材で閉じた構成のカップ容器に前記容器開口部を覆うように取り付けて使用し、前記蓋材を開封する機能を備えたキャップであって、前記容器開口部を取り囲む容器口縁に回転可能に装着される装着部と、その装着部にほぼ垂直に連設され、飲み口用口縁を備えた筒状部と、該筒状部の内側に形成された凹部と、該凹部の底面で且つ前記飲み口用口縁に隣接した領域に形成された内容物取り出し用の開口と、該開口に面する領域に、該開口をはさんで前記飲み口用口縁とは反対側に設定した旋回軸線を中心として旋回可能に設けられ、該旋回軸線を中心として下方に旋回させることで前記開口の下に位置する蓋材を下方に押し開くことの可能な蓋押し具と、該蓋押し具と一体構造に形成され、上方への旋回によって前記蓋押し具を下方に旋回させる引き上げ部と、前記蓋押し具の先端領域の下面で且つ該先端領域の一方の端部近傍若しくは両方の端部近傍に一体構造に形成され、該蓋押し具を下方に旋回させた時に前記蓋材を突き刺す突刺し刃と、前記蓋押し具を下方に旋回させて前記突刺し刃を蓋材に突き刺した状態に保持するロック手段を備え、前記突刺し刃が、該突刺し刃を前記蓋材に突き刺した状態で前記キャップを容器口縁に沿って回転させた時に前記蓋材を切り裂いてゆくことの可能な構成となっており、前記ロック手段が、前記開口に面する筒状部の内面に形成されたロック用突起であって、前記蓋押し具を下方に旋回させた時には該蓋押し具に押されて変形して該蓋押し具の通過は許容するが、該蓋押し具が通過した後は、該蓋押し具が元の位置に戻らないように該蓋押し具を拘束するロック用突起を備えていることを特徴とする開封機能付キャップを要旨とする。
【００１２】
請求項４に係る発明は、液状内容物を充填し、容器開口部をフィルム状の蓋材で閉じた構成のカップ容器と、該カップ容器に前記容器開口部を覆うように取り付けられた請求項１から３のいずれか１項記載の開封機能付キャップを備えた包装体を要旨とする。
【００１３】
請求項５に係る発明は、上記した請求項４に係る包装体において、更に、前記開封機能付キャップの上に被せられた保護用のオーバーキャップを有する構成としたものである。
【発明の効果】
【００１４】
本発明の開封機能付キャップを用いた包装体では、カップ容器の容器開口部を閉じている蓋材を開封するに当たって、まず、突刺し具を下方に押して突刺し刃を蓋材に突き刺すか（請求項１）又は蓋押し具を下方に旋回させて突刺し刃を蓋材に突刺し（請求項３）、次いで、キャップをカップ容器に対して適当な角度範囲にわたって回転させて、突刺し刃で蓋材を容器口縁に沿って切り裂いてゆき、切り裂いた領域の蓋材の上に蓋押し具が来ると、キャップの回転を止め、蓋押し具に一体に形成されている引き上げ部を指で引き上げて旋回させるという動作を行うことで、引き上げ部の上方への旋回によって蓋押し具を下方に旋回させ、蓋材を下方に押し開くことができ、その後、筒状部の飲み口用口縁から内容物を飲食することができる。このように本発明の開封機能付キャップは、蓋材を下方に押し開く時には、引き上げ部を指で引き上げて旋回させれば良いので、指がカップ容器内に入り込むということがなく、指が蓋材裏面の内容物で汚れるといったことが生じない。また、引き上げ部を旋回させ、蓋押し具で蓋材を下方に押し開く時には、押される部分の蓋材が容器口縁に沿って大きく切り裂かれているため、小さい力で蓋材を下方に押し開くことができ、引き上げ部を指で旋回させる操作を容易に行うことができる。かくして、本発明の開封機能付キャップを用いることで、指を汚すことなく、且つ簡単な操作で蓋材を開口させることができる。
【発明を実施するための最良の形態】
【００１５】
図１は本発明の実施の形態に係る開封機能付キャップを備えた包装体の概略断面図、図２はその包装体を分解して示す概略断面図である。全体を参照符号１で示す包装体は、コーヒー、紅茶、ウーロン茶、スープ、ジュース等の液状内容物３を充填し、容器開口部をフィルム状の蓋材４で密封した構成のカップ容器２と、そのカップ容器２に容器開口部を覆うように取り付けられた開封機能付キャップ（以下キャップと略称する）６と、そのキャップ６の上に被せられた保護用のオーバーキャップ８を備えている。
【００１６】
カップ容器２は、上端に容器開口部を備え、その容器開口部を蓋材４で密閉することができるカップ状のものであり、例えば、紙容器、プラスチック製容器、紙／合成樹脂／金属箔複合材料または紙／合成樹脂複合材料からなる容器、または金属製容器等を例示できる。蓋材４は、キャップ６に形成している突刺し刃（詳細は後述する）で突き刺し且つ切り裂いて開封可能なフィルム状のもので形成されている。蓋材４の材料としては、突刺し刃で開封した時に蓋材の破片が生じて内容物に混入し、内容物と共に飲み込まれてしまうことがないように、突刺し刃により破断した部分以外に亀裂の入りにくい材料、例えば、未延伸ナイロン／ポリエチレン、ポリプロピレン、ポリエチレンテレフタレート等の積層フィルム、未延伸ナイロン／エチレンビニルアルコール共重合体や塩化ビニリデン等のバリアー層／未延伸のポリエチレン、ポリプロピレン、ポリエチレンテレフタレート等の積層フィルム、未延伸ナイロン／アルミニウム等の金属蒸着層／未延伸のポリエチレン、ポリプロピレン、ポリエチレンテレフタレート等の積層フィルム、アルミニウム等の金属箔／未延伸のポリエチレン、ポリプロピレン、ポリエチレンテレフタレート等の積層フィルム等を利用するのが望ましい。
【００１７】
キャップ６は、ポリエチレン、ポリプロピレン、ナイロン等の樹脂の成形によって一体に作られたものである。以下、図３〜図７を参照してキャップ６を詳細に説明する。図３はそのキャップの概略斜視図、図４はそのキャップの概略平面図、図５はそのキャップの概略断面図、図６（ａ）はキャップをカップ容器に取り付けた状態で且つ図４のＡ−Ａ矢視方向に見た概略断面図、（ｂ）は（ａ）に示す領域の概略正面図、（ｃ）は突刺し刃を蓋材に突き刺した状態で示す（ａ）と同じ位置の概略断面図、図７はカップ容器の開封手順を示すもので、（ａ）はカップ容器に取り付けた状態のキャップの概略平面図、（ｂ）はその概略断面図である。キャップ６は、カップ容器２の容器開口部を取り囲む容器口縁のフランジ２ａに回転可能な形態で装着するための装着部１４と、その装着部１４にほぼ垂直に連設され、円周上の一部領域が飲み口用口縁１５ａとなる筒状部１５を備えている。装着部１４による容器口縁への装着構造は特に限定するものではないが、この実施の形態では、フランジ２ａの外周面に嵌合取り付けするためのアンダーカットを備えた構造としており、この構造により簡単に液密的に嵌合取り付けすることができ且つ装着部１４をフランジ２ａに対して回転させることもできる。
【００１８】
筒状部１５は前記したように円周上の一部領域に飲み口用口縁１５ａを形成している。飲み口用口縁１５ａの幅は、飲み口として使用するのに適した幅となるように選定すればよく、目安としては、筒状体１５の内径の１／３〜２／３程度に選定すればよい。筒状部１５の内側には大きい凹部１７が形成されており、その凹部１７の底面で且つ飲み口用口縁１５ａに隣接した領域には内容物取り出し用の開口１８が形成されている。凹部１７の底面の開口１８を除いた領域には、底壁１９ａ、１９ｂが設けられている。ここで底壁１９ｂは、底壁１９ａの開口１８に面する領域の中央に底壁１９ａよりも更に下方に凹となるように形成されている。
【００１９】
開口１８に面する領域には、蓋押し具２０が、開口１８をはさんで飲み口用口縁１５ａとは反対側に設定した第一の旋回軸線Ｏ−Ｏを中心として旋回可能に設けられている。更に具体的には、蓋押し具２０は、凹部１７の底壁１９ａの、底壁１９ｂの両側に位置する領域に、旋回軸線Ｏ−Ｏ上に配置された薄肉部２１、２１を介して連設されており、この薄肉部２１、２１を中心として旋回可能である。蓋押し具２０の先端２０ａは、飲み口用口縁１５ａ側に位置する容器口縁の近傍にまで延びており且つその容器口縁に沿うように円弧状に形成されている。更に、旋回軸線Ｏ−Ｏの位置は、蓋押し具２０を下方に旋回させることで、図７（ｂ）に示すように、蓋材４を、内容物の取り出しに好ましい大きさの口が形成されるよう下方に大きく押し開くことができるように定められている。
【００２０】
蓋押し具２０には、旋回軸線Ｏ−Ｏをはさんで反対方向に延びるように引き上げ部２２が一体構造で連設されている。この構成により、引き上げ部２２を旋回軸線Ｏ−Ｏを中心として上方に旋回させることで、蓋押し具２０を下方に旋回させて蓋材４を下方に押し開くことができる。この引き上げ部２２は、下方に凹となるように形成された底壁１９ｂの上方に位置しており、引き上げ部２２の下に指を差し込んで持ち上げることができるようになっている。なお、引き上げ部２２は蓋押し具２０と同一平面となるように形成する場合に限らず、蓋押し具２０が水平状態の時に引き上げ部２２が斜め上方に延びるように形成してもよく、この構造とすることで、引き上げ部２２に指を一層掛けやすくなる。また、下方に凹とした底壁１９ｂを省略することも可能となる。
【００２１】
キャップ６の凹部１７の底面に形成している開口１８の両側に位置する側面２３、２３には、ロック用突起２４、２４が形成されている。このロック用突起２４、２４は、蓋押し具２０を図７（ｂ）に示す位置（蓋材４を押し開いた位置）に旋回させる時には蓋押し具２０に押されて変形し、蓋押し具２０の通過は許容するが、蓋押し具２０が通過した後は、蓋押し具２０が元の位置に戻らないようにその蓋押し具２０に引っかかって拘束することができるように設けられており、蓋押し具を下方に旋回させて蓋材を押し開いた状態に保持するロック手段を構成している。なお、蓋押し具をロックするロック手段は、ロック用突起２４、２４を用いたものに限らず、適宜変更可能である。
【００２２】
図４、図６において、キャップ６の凹部１７の外側には、筒状部１５を内側に凹ました領域２６が形成されており、その領域２６には、キャップ６の外周から離れた位置に設定した第二の旋回軸線Ｐ−Ｐを中心として旋回可能に突刺し具２８が設けられている。更に具体的には、突刺し具２８は旋回軸線Ｐ−Ｐ上に位置する薄肉部２９を介して筒状部１５に連設されており、その先端の下面には、突刺し具２８を下方に旋回させた時に蓋材４を突き刺すことの可能な突刺し刃２８ａが形成されている。旋回軸線Ｐ−Ｐの位置及び突刺し刃２８ａの位置は、突刺し具２８をその旋回軸線Ｐ−Ｐを中心として下方に旋回させた時に、突刺し刃２８ａが容器口縁の内周面近傍で蓋材４を突き刺すことができるように定められている。更に、突刺し刃２８ａは、その突刺し刃２８ａを蓋材４に突き刺した状態でキャップ６を図４、図７（ａ）で右方向に回転させた時に、その突刺し刃２８ａで蓋材４を切り裂いてゆくことができるように刃を備えている。この突刺し具２８は、凹部１７内に形成している開口１８の右側に位置するように配置されており、この構成により、キャップ６を右方向に回転させた際、突刺し刃２８ａで開口１８の直ぐ上流で蓋材４を切り裂いてゆくことができる。なお、突刺し刃２８ａに、蓋材を切り裂くことができるように設ける刃は、キャップ６を左方向に回転させた時に蓋材を切り裂くことができるように設けも良く、その場合には、突刺し具２８を開口１８の左側に設けておくことが好ましい。更には、左右いずれの方向に回転させた場合にも蓋材を切り裂くことができるように、突刺し具２８を開口１８の両側に設けても良い。
【００２３】
キャップ６の、突刺し具２８の先端に向かい合う領域にはロック用突起３１が形成されている。このロック用突起３１は、突刺し具２８を図６（ｂ）に示す位置（蓋材４を突き刺した位置）に旋回させる時には突刺し具２８に押されて変形し、突刺し具２８の通過は許容するが、突刺し具２８が通過した後は、突刺し具２８が元の位置に戻らないようにその突刺し具２８に引っかかって拘束することができるように設けられており、突刺し具を下方に旋回させて蓋材を突き刺した状態に保持するロック手段を構成している。
【００２４】
図１、図２において、オーバーキャップ８はキャップ６を保護するためのものであり、ポリエチレン、ポリプロピレン、ナイロン等の樹脂の成形によって作られている。
【００２５】
次に、上記構成のキャップ６及びそれを用いた包装体１の使用方法を説明する。図１、図２において、カップ容器２内には液状内容物（液体のみならず固形分を含むものでもよい）３が充填され、上端の容器開口部は蓋材４で密封され、その上にキャップ６が、装着部１４をカップ容器２のフランジ２ａに嵌合させることで装着され、更にその上にオーバーキャップ８が被せられている。包装体１はこの状態で流通される。
【００２６】
この包装体１の開封に当たっては、まず、オーバーキャップ８を取り外し、キャップ６の上面を露出させ、次いで、図６（ａ）、（ｂ）に示すように、突刺し具２８を指で下方に押し下げ、突刺し刃２８ａを蓋材４に突き刺し、且つその突刺し具２８を図６（ｂ）に示す位置にロックする。次に、図７（ａ）に示すようにキャップ６をカップ容器２に対して右方向に回転させてゆく。これによって、蓋材４の容器口縁近傍の部分が容器口縁に沿って切り裂かれて行く。この際、突刺し具２８はロックされているため、蓋材４の切り裂きの際に上方に逃げるということはなく、蓋材４を良好に切り裂いてゆくことができる。キャップ６を１００〜１４０度程度回転させ、蓋材４の切り裂かれた領域の上に開口１８及び蓋押し具２０が位置するようになると、キャップ６の回転を止め、図７（ｂ）に示すように引き上げ部２２を指で上方に引き上げる。これにより、引き上げ部２２が旋回軸線Ｏ−Ｏを中心として上方に旋回し、その引き上げ部２２と一体構造の蓋押し具２０が旋回軸線Ｏ−Ｏを中心として下方に旋回し、周縁領域を切り裂かれた蓋材４を下方に押し開いて行く。そして、蓋押し具２０をロック用突起２４に引っかかってロックされる位置まで旋回させる。以上の操作により、開封が終了し、蓋押し具２０は蓋材４を大きく開口させた状態に保持される。その後、筒状部１５の飲み口用口縁１５ａから内容物を飲食する。以上のように、この開封動作では、蓋押し具２０で蓋材４を押し開くには、引き上げ部２２を指で引き上げるのみでよいので、指がカップ容器２内に入ることはなく、従って、指を汚すことなく、蓋材４を容易に開封して大きい開口を形成でき、大きい固形物のある内容物でも、キャップ６の飲み口用口縁１５ａを飲み口として飲食することができる。
【００２７】
なお、上記した実施の形態ではキャップ６をカップ容器２に対して回転させる際の回転角度を、開封する人が適当に決めるものとして説明したが、回転角度を規制する手段を設けるとか、回転角度を容易に認識する手段を設けておいても良い。例えば、回転角度を規制する手段としては、カップ容器２のフランジ２ａとキャップ６との一方に、所望の回転角度に相当する長さの円弧状の切欠きを形成し、他方にその切欠き内を移動可能な突起を形成しておき、キャップ６を回転させた時にその突起が円弧状の切欠き内を移動して端部にぶつかり、それ以上の回転を阻止する構成のものを例示できる。このような規制手段を設けておくと、キャップ６を回転を阻止されるまで回転させることで、所定範囲の蓋材を突刺し刃で切り裂くことができ、開封操作が容易となる。また、回転角度を容易に認識する手段としては、カップ容器側にキャップの回転範囲を示す記号、絵柄等を印刷しておき、キャップにはキャップの位置を示す矢印等の記号を、カップ容器側の回転範囲を示す記号、絵柄等に向かい合うような位置に付しておき、その矢印がカップ容器に印刷している回転範囲を示す記号、絵柄等に対して動く状態を見ることで回転角度を認識しうる構成のものを例示できる。このような手段を設けておくことでも、キャップの回転角度を容易に認識でき、開封操作が容易となる。
【００２８】
また、上記した実施の形態では、突刺し具と蓋押し具とを別部品として設けているが、両者を一体化することも可能である。図８はその場合の実施の形態に係るキャップの概略平面図、図９はそのキャップをカップ容器に取り付けた状態を示す概略断面図、図１０はそのキャップを、一部を破断して示す概略斜視図、図１１（ａ）、（ｂ）は開封動作を説明するもので、図９と同一部分の概略断面図である。なお、図８〜図１１において、図１〜図７に示す実施の形態における部品と同一部品には同一符号を付して示し、説明は省略する。
【００２９】
図８〜図１０に示すキャップ６Ａも、カップ容器２の容器開口部を取り囲む容器口縁のフランジ２ａに回転可能な形態で装着するための装着部１４と、その装着部１４にほぼ垂直に連設され、円周上の一部領域が飲み口用口縁１５ａとなる筒状部１５Ａを備えている。筒状部１５Ａは単に円筒状のもので、その内側全体が凹部１７Ａとなっており、その凹部１７Ａの底面で且つ飲み口用口縁１５ａに隣接した領域に内容物取り出し用の開口１８Ａが形成され、他の領域には、平坦な底壁１９Ａａが設けられている。
【００３０】
開口１８Ａに面する領域には、蓋押し具２０Ａが、開口１８Ａをはさんで飲み口用口縁１５ａとは反対側に設定した旋回軸線Ｏ−Ｏを中心として旋回可能に設けられている。更に具体的には、蓋押し具２０Ａは、底壁１９Ａａの開口１８Ａ側の端縁の両端領域に、旋回軸線Ｏ−Ｏ上に配置された薄肉部２１、２１を介して連設されており、この薄肉部２１、２１を中心として旋回可能である。蓋押し具２０Ａは、旋回軸線Ｏ−Ｏから飲み口用口縁１５ａに向かって斜め上方に延びるように形成されており、その蓋押し具２０Ａの先端２０ａは、蓋押し具２０Ａを水平状態とした時に、飲み口用口縁１５ａ側の容器口縁の近傍にまで延び且つその容器口縁に沿うような円弧状に形成されている。更に、旋回軸線Ｏ−Ｏの位置は、蓋押し具２０Ａを更に下方に旋回させることで、図１１（ｂ）に示すように、蓋材４を、内容物の取り出しに好ましい大きさの口が形成されるよう下方に大きく押し開くことができるように定められている。
【００３１】
蓋押し具２０Ａには、旋回軸線Ｏ−Ｏをはさんで反対方向に延びるように引き上げ部２２Ａが一体構造で連設されている。この引き上げ部２２Ａは、底壁１９Ａａと同一面内に位置するように、蓋押し具２０Ａに対して傾斜して形成されている。なお、底壁１９Ａａには、引き上げ部２２Ａが位置する領域に、引き上げ部２２に干渉しないように切欠きが形成されている。
【００３２】
蓋押し具２０Ａの下面には、先端２０ａの近傍で且つキャップ６Ａを平面で見た状態で先端２０ａの右側の端部近傍に突刺し刃２８Ａが一体構造に形成されている。この突刺し刃２８Ａは、蓋押し具２０Ａを下方に旋回させて図１１（ａ）に示すように水平状態とした時に、蓋材４を突き刺すことができるように、配置されている。更に、この突刺し刃２８Ａは、蓋材４に突き刺した状態でキャップ６Ａを容器口縁に沿って右方向に回転させた時に蓋材４を切り裂いて行くことができるように刃を備えている。なお、この実施の形態では、キャップ６Ａを右方向に回転させた際に蓋材４を切り裂く構成であるが、左方向に回転させた時に蓋材を切り裂くことができる構成に変更することも可能であり、その場合には突刺し刃２８Ａは蓋押し具２０Ａの先端２０ａの左側の端部近傍に設けておくことが好ましい。また、突刺し刃２８Ａを蓋押し具２０Ａの先端２０ａの両端にそれぞれ設け、キャップ６Ａを右方向に回転させた時には右側の突刺し刃で蓋材を切り裂き、キャップ６Ａを左方向に回転させた時には左側の突刺し刃で蓋材を切り裂く構成としてもよい。
【００３３】
図９、図１１において、開口１８Ａに面する筒状部１５Ａの内面にはロック用突起２４Ａが形成されている。このロック用突起２４Ａは、蓋押し具２０Ａを図１１（ａ）に示す位置（突刺し刃２８Ａを蓋材４に突き刺す位置）に旋回させる時には蓋押し具２０Ａに押されて変形し、蓋押し具２０Ａの通過は許容するが、蓋押し具２０Ａが通過した後は、蓋押し具２０Ａが元の位置に戻らないようにその蓋押し具２０Ａに引っかかって拘束することができるように設けられており、蓋押し具を下方に旋回させて突刺し刃を蓋材に突き刺した状態に保持するロック手段を構成している。
【００３４】
この構成のキャップ６Ａも、図１、図２に示すキャップ６と同様に、カップ容器２に取り付けて使用される。開封に当たっては、まず、蓋押し具２０Ａを押して、図１１（ａ）に示すように、水平状態となるまで下方に旋回させ、突刺し刃２８Ａを蓋材４に突き刺す。次いで、キャップ６Ａを右方向に回転させて、蓋材４を突刺し刃２８Ａで切り裂いて行く。そして、９０〜１００度回転させて、蓋材４の切り裂かれた領域の上に開口１８Ａ及び蓋押し具２０Ａが位置するようになると、キャップ６Ａの回転を止め、図１１（ｂ）に示すように引き上げ部２２Ａを指で上方に引き上げる。これにより、引き上げ部２２Ａが旋回軸線Ｏ−Ｏを中心として上方に旋回し、その引き上げ部２２Ａと一体構造の蓋押し具２０Ａが旋回軸線Ｏ−Ｏを中心として下方に旋回し、周縁領域を切り裂かれた蓋材４を下方に押し開いて行く。以上の操作により、開封が終了する。その後、筒状部１５の飲み口用口縁１５ａから内容物を飲食する。以上のように、この開封動作でも、蓋押し具２０Ａで蓋材４を押し開くには、引き上げ部２２Ａを指で引き上げるのみでよいので、指がカップ容器２内に入ることはなく、従って、指を汚すことなく、蓋材４を容易に開封して大きい開口を形成でき、大きい固形物のある内容物でも、キャップ６Ａの飲み口用口縁１５ａを飲み口として飲食することができる。なお、この実施の形態では、蓋押し具２０Ａを、蓋材を押し開いた状態にロックするためのロック手段を設けていないが、ロック手段を設けても良いことは言うまでもない。
【００３５】
以上に本発明の好適な実施の形態を説明したが、本発明はこれらの実施の形態に限定されるものではなく、特許請求の範囲の記載の範囲内で適宜変更や修正を行うことが可能である。
【図面の簡単な説明】
【００３６】
【図１】本発明の実施の形態に係る開封機能付キャップを備えた包装体の概略断面図
【図２】図１に示す包装体を分解して示す概略断面図
【図３】図１の包装体に用いているキャップの概略斜視図
【図４】図３に示すキャップの概略平面図
【図５】図３に示すキャップの概略断面図
【図６】（ａ）はキャップをカップ容器に取り付けた状態で且つ図４のＡ−Ａ矢視方向に見た概略断面図、（ｂ）は（ａ）に示す領域の概略正面図、（ｃ）は突刺し刃を蓋材に突き刺した状態で示す（ａ）と同じ位置の概略断面図
【図７】カップ容器の開封手順を示すもので、（ａ）はカップ容器に取り付けた状態のキャップの概略平面図、（ｂ）はその概略断面図
【図８】本発明の他の実施の形態に係るキャップの概略平面図
【図９】図８に示すキャップをカップ容器に取り付けた状態で示す概略断面図
【図１０】図８に示すキャップを、一部を破断して示す概略斜視図
【図１１】（ａ）、（ｂ）は開封動作を説明するもので、図９と同一部分の概略断面図
【符号の説明】
【００３７】
１  包装体
２  カップ容器
２ａ  フランジ
３  内容物
４  蓋材
６、６Ａ  開封機能付キャップ
１４  装着部
１５、１５Ａ  筒状部
１５ａ  飲み口用口縁
１７、１７Ａ  凹部
１８、１８Ａ  開口
１９ａ、１９ｂ、１９Ａａ  底壁
２０、２０Ａ  蓋押し具
２０ａ  先端
２１  薄肉部
２２、２２Ａ  引き上げ部
２３  側面
２４、２４Ａ  ロック用突起
２８  突刺し具
２８ａ、２８Ａ  突刺し刃
２９  薄肉部
３１  ロック用突起
【図１】
0004802590.tif 000002
【図２】
0004802590.tif 000003
【図３】
0004802590.tif 000004
【図４】
0004802590.tif 000005
【図５】
0004802590.tif 000006
【図６】
0004802590.tif 000007
【図７】
0004802590.tif 000008
【図８】
0004802590.tif 000009
【図９】
0004802590.tif 000010
【図１０】
0004802590.tif 000011
【図１１】
0004802590.tif 000012